(57)【要約】【課題】  車止めが設置された場所に関する案内情報や地図情報など、情報量の多い情報を不特定多数の人々に瞬時にして伝達することができる車止めを提供することを課題としている。【解決手段】  地面７に固定される支柱１と、外部から読取可能な暗号化情報が記録された情報伝達媒体２と支柱１に設けられ、情報伝達媒体２を支持する情報伝達媒体支持部３と、情報伝達媒体２を外部から覆うように設けられ、情報伝達媒体２に記録された暗号化情報を外部から読み取り可能な材料からなるカバーとを備えた。【選択図】  図３
2005273194.tif 000002
【特許請求の範囲】
【請求項１】
地面に固定される支柱と、
外部から読取可能な暗号化情報が記録された情報伝達媒体と、
支柱に設けられ、情報伝達媒体を支持する情報伝達媒体支持部と、
情報伝達媒体を外部から覆うように設けられ、情報伝達媒体に記録された暗号化情報を外部から読み取り可能な材料からなるカバーと、
を備えたことを特徴とする車止め。
【請求項２】
上記情報伝達媒体は、ＩＣタグであり、このＩＣタグに記録された暗号化情報を、携帯電話に備えられた受発信装置が電磁気的に読取可能であることを特徴とする請求項１記載の車止め。
【請求項３】
上記情報伝達媒体は、二次元コードであり、この二次元コードに記録された暗号化情報を、携帯電話に備えられた撮像装置が光学的に読取可能であることを特徴とする請求項１記載の車止め。
【請求項４】
上記カバー部は、透明材料からなることを特徴とする請求項１ないし請求項３のいずれかに記載の車止め。
【請求項５】
上記カバー部は、表面に光触媒塗装が施されたものであることを特徴とする請求項１ないし請求項４のいずれかに記載の車止め。
【請求項６】
上記カバー部は、表面にフッソ樹脂からなる撥水塗装が施されたものであることを特徴とする請求項１ないし請求項４のいずれかに記載の車止め。
【請求項７】
上記情報伝達媒体はカバー部を取り外すことにより取替え可能に構成されていることを特徴とする請求項１ないし請求項６のいずれかに記載の車止め。
【請求項８】
上記太陽光発電装置と充電池とを有するソーラユニットと、
ＬＥＤからなる夜間標示部とを備え、
この夜間標示部を夜間に点灯することを特徴とする請求項１ないし請求項７のいずれかに記載の車止め。
【請求項９】
上記情報伝達媒体は、情報を記録したサーバーコンピュータのアクセスコードを記録したものであることを特徴とする請求項１ないし請求項８のいずれかに記載の車止め。
【請求項１０】
上記情報伝達媒体は、車止めが設置された場所の住所データを含む暗号化情報を記録したものであることを特徴とする請求項１ないし請求項９のいずれかに記載の車止め。
【発明の詳細な説明】
【技術分野】
【０００１】
本発明は、例えば歩行者など不特定多数の人々に情報を提供するために採用される車止めに関するものである。
【背景技術】
【０００２】
最近、例えば歩行者など不特定多数の人々に情報を提供するために採用される車止めとして、音声やメッセージ標示など外部から認識可能な情報を発声もしくは表示する情報提供手段を備えたものが種々提案されている。
【０００３】
例えば、特許文献１には、道端や公園等において、所定の案内情報を音声にて出力する音声発信部と、案内情報を文字にて出力する文字表示部とを配設し、視聴覚障害者の保持する発信機から発信される信号に基づいてこれらの情報を出力させる音声・文字誘導ボラードの技術が開示されている。
【０００４】
また、特許文献２には、少なくとも音声発生装置、発光標示装置、情報コンセント、触覚対応装置のうちの１つを備えた高機能情報柵および情報発信キャップの技術が開示されている。
【特許文献１】特開平１０−３２３３６５号公報
【特許文献２】特開２００２−３５６８２０号公報
【発明の開示】
【発明が解決しようとする課題】
【０００５】
しかしながら、上述の特許文献１に開示された音声・文字誘導ボラードの技術では、例えば、車止めが設置された場所に関する地図情報など、情報量の多い情報を伝達することができないという問題があった。
【０００６】
また、上述の特許文献２の高機能情報柵および情報発信キャップの技術では、情報量の多い各種情報を小型パソコンや携帯電話機等の情報機器端末などに情報コンセントを通じて伝達する技術が提案されているが、その都度情報コンセントとこれらの情報機器端末をケーブルで接続する必要があり、瞬時に情報を伝達することができるものではなかった。
【０００７】
本発明は上記不具合に鑑みてなされたものであり、車止めが設置された場所に関する案内情報や地図情報など、情報量の多い情報を不特定多数の人々に瞬時にして伝達することができる車止めを提供することを課題としている。
【課題を解決するための手段】
【０００８】
上記課題を解決するための本発明は、地面に固定される支柱と、外部から読取可能な暗号化情報が記録された情報伝達媒体と、支柱に設けられ、情報伝達媒体を支持する情報伝達媒体支持部と、情報伝達媒体を外部から覆うように設けられ、情報伝達媒体に記録された暗号化情報を外部から読み取り可能な材料からなるカバー部とを備えたことを特徴とする車止めである。
【０００９】
本発明によれば、車止めの支柱に情報伝達媒体を支持する情報伝達媒体支持部が設けられ、情報伝達媒体に記録された暗号化情報が外部から読取可能に構成されるので、情報量の多い情報を暗号化して圧縮し、情報伝達媒体に記録しておけば、この暗号化情報を外部の携帯電話に設けた電磁波の受発信装置や撮像装置などの読取装置から読み取ることにより、不特定多数の人々にこれらの情報を瞬時に伝達することができるようになる。
【００１０】
また、暗号化情報を外部から読み取ることができるような材料で構成されるカバー部が、情報伝達媒体を覆うように設けられているので、天候に左右されずに暗号化情報を読み取ることができる車止めとすることができる。
【００１１】
ここで、上記情報伝達媒体は、ＩＣタグであり、このＩＣタグに記録された暗号化情報を、携帯電話に備えられた受発信装置が電磁気的に読取可能であることが好ましい。
【００１２】
このようにすれば、ＩＣタグに暗号化して記録させた案内情報や地図情報など、情報量の多い情報を携帯電話に備えられた電磁波の受発信装置を用いて電磁気的に読取らせることにより、不特定多数の人々に瞬時にして、これらの情報を伝達することができるようになる。
【００１３】
また、上記情報伝達媒体は、二次元コードであり、この二次元コードに記録された暗号化情報を、携帯電話に備えられた撮像装置が光学的に読取可能であることが好ましい。
【００１４】
このようにすれば、二次元コードに暗号化して視覚的に記録させた案内情報や地図情報など、情報量の多い情報を携帯電話に備えられた撮像装置を用いて光学的に読取らせることにより、不特定多数の人々に瞬時にして、これらの情報を伝達することができるようになる。
【００１５】
また、上記カバー部は、透明材料からなるものであることが好ましい。
【００１６】
このようにすれば、カバー部が、透明材料からなるので、情報伝達媒体を風雨から保護するだけでなく、情報伝達媒体支持部に支持される情報伝達媒体や情報伝達媒体の存在を示す表示を外部から視覚的、光学的に認識させることができる。
【００１７】
また、上記カバー部は、表面に光触媒塗装が施されたものであることが好ましい。
【００１８】
このようにすれば、カバー部の表面に光触媒塗装が施されているので、汚れが分解されるなど、カバー部の表面の自浄作用がある結果、暗号化情報の読取りに対するカバー部の表面汚れによる障害を軽減することができる。
【００１９】
また別の例として、上記カバー部は、表面にフッソ樹脂からなる撥水塗装が施されたものであってもよい。
【００２０】
このようにすれば、カバー部の表面にフッソ樹脂からなる撥水塗装が施されているので、雨水がカバー部の表面に付着しにくい結果、暗号化情報の読取りに対するカバー部の表面汚れによる障害を軽減することができる。
【００２１】
また、上記情報伝達媒体はカバー部を取り外すことにより取替え可能に構成されていることが好ましい。
【００２２】
このようにすれば、車止めに設けられた情報伝達媒体が、カバー部を取り外すことにより取替えることができるので、情報伝達媒体を容易にメンテナンスすることができる結果、車止めを長期間にわたって使用することができる。
【００２３】
また、本発明に係る車止めは、太陽光発電装置と充電池とを有するソーラユニットと、ＬＥＤからなる夜間標示部とを備え、この夜間標示部を夜間に点灯することが好ましい。
【００２４】
このようにすれば、昼間の時間帯にソーラユニットの太陽光発電装置により発電を行なうとともに充電池に電力を貯蔵して、この貯蔵した電力により夜間に夜間標示部を点灯することができるので、情報伝達媒体の存在を示す表示を夜間標示部としてＬＥＤで構成することにより、夜間でも外部の不特定多数の人々に情報伝達媒体の存在を示す表示を視覚的に認識させることができる。
【００２５】
また、上記情報伝達媒体は、情報を記録したサーバーコンピュータのアクセスコードを記録したものであることが好ましい。
【００２６】
このようにすれば、携帯電話がアクセスコードに係る暗号化情報を読取ってサーバーコンピュータにアクセスするように構成することができる。その結果、不特定多数の人々が携帯電話を介してより詳細な情報を入手することができるようになる。
【００２７】
さらに、上記情報伝達媒体は、車止めが設置された場所の住所データを含む暗号化情報を記録したものであることが好ましい。
【００２８】
このようにすれば、情報伝達媒体は、車止めが設置された場所の住所データを含む暗号化情報を記録したものであるので、携帯電話を介した市民から緊急センターへの緊急通報の際に、携帯電話がこの住所データを読み取って緊急センターに発信するように構成することができる。その結果、緊急センターにおいて事件現場を特定することを敏速に容易に行うことができるようになる。
【００２９】
特に、最近では市民から警察や消防署への緊急通報は携帯電話からのものが増えており、事件現場が特定しにくくなっているので、通報時に簡単に現場の住所を特定することができるようになる利点は大きい。
【発明の効果】
【００３０】
以上説明したように、本発明によれば、車止めが設置された場所に関する案内情報や地図情報などを暗号化して車止めの情報伝達媒体に記録しておけば、この暗号化情報を外部の携帯電話に設けた電磁波の受発信装置や撮像装置などの読取装置から読み取ることにより、不特定多数の人々にこれらの情報量の多い情報を瞬時にして伝達することができるようになるという顕著な効果を奏する。
【発明を実施するための最良の形態】
【００３１】
以下、添付図面を参照しながら本発明の好ましい実施の形態について詳述する。図１は本発明の第１の実施の形態に係る車止め１０の構成を示す説明図であり、（ａ）は、車止め１０の正面図、（ｂ）は、車止め１０の側面図をそれぞれ示している。また、図２は、車止め１０の上部の構成を示す斜視図であり、図３は、図２の分解斜視図である。また、図４は、車止め１０の上部の正面図であり、図５は、車止め１０の上部の側面図である。
【００３２】
図１〜図５に示すように、本発明の第１の実施形態に係る車止め１０は、道路や駐車場、その他の場所で、車輌の進入を止めたり、境界を表すためのものであって、地面７に固定される支柱１と、暗号化情報が記録された情報伝達媒体２と、支柱１に設けられ、情報伝達媒体２を支持する情報伝達媒体支持部３とを備えている。また、情報伝達媒体２を外部から覆うようにカバー部４が設けられている。
【００３３】
さらに、この車止め１０は、太陽光発電装置５ａと充電池５ｂとを有するソーラユニット５と、ＬＥＤからなる夜間標示部６とを備え、この夜間標示部６は夜間に点灯するように構成されている。
【００３４】
上記支柱１は、長手方向が概ね鉛直方向になるように地面７（図１）にコンクリートなどを用いて固定される断面が円形の管状の部材であり、本実施形態では、鋼管を適当な長さに切断したものが採用されている。
【００３５】
上記情報伝達媒体２は、第１の実施形態では、ＩＣタグ２ａが採用されている。このＩＣタグ２ａは、記録された暗号化情報を電磁気的に外部から読取ることができるように構成されている。すなわち、このＩＣタグ２ａは、携帯電話に備えられた受発信装置から発信される電波を受けて、信号を受信するとともに、この電波から電力を得てＩＣタグ２ａに記録された暗号化情報を発信するようになっている。
【００３６】
そして、この情報伝達媒体２には、暗号化情報として車止めが設置された場所に関する案内情報（例えば近隣の公共施設の情報等）と、近隣の地図情報と、車止め１０が設置された場所の住所データとを暗号化した暗号化情報が記録されている。
【００３７】
特に、住所データについては、後述するように、市民が携帯電話を介して緊急センター９（図７）へ緊急通報する際に、携帯電話がこの住所データを読み取って緊急センター９にデータとして発信するように構成されている。
【００３８】
また、この情報伝達媒体２は、別途情報センターに設置されたさらに詳しい情報を記録したサーバーコンピュータ１１（図８）のインターネットによるアクセスコードも暗号化情報として記録している。そして、後述するように、携帯電話がこのアクセスコードに係る暗号化情報を読取ってサーバーコンピュータ１１にアクセスすることにより、車止めが設置された場所に関するより詳細な情報を取得することができるように構成されている。
【００３９】
これらＩＣタグ２ａからなる情報伝達媒体２に記録された暗号化情報は、一般のＩＣタグ２ａと同様に、必要に応じてＩＣライタを用いて内容を書き換えることができるようになっている。
【００４０】
図３を参照して、情報伝達媒体支持部３は、支柱１の上部において情報伝達媒体２を支持するためのものであり、支柱１の上部開口１ａに挿入するための挿入部３ａと、情報伝達媒体２の保持部３ｂとを備えている。ＩＣタグ２ａからなる情報伝達媒体２は金属に直接触れていると電波障害により暗号化情報が読取り難くなるものもあるため、この情報伝達媒体支持部３は、電波障害を防ぐために樹脂の一体成形品で構成されている。
【００４１】
そして、この情報伝達媒体支持部３の挿入部３ａは、ねじ孔３ｃを有し、支柱１の上部開口１ａに挿入された後は、このねじ孔３ｃと、支柱１の上部の周囲４箇所に設けられたねじ孔１ｂとに取り付けられる図略のねじにより、支柱１の上部に固定される。また、保持部３ｂは、情報伝達媒体２や情報伝達媒体２の存在を示す図略の表示を斜め前方から視覚的、光学的に認識させるようにするために、斜めにカットされた平面で構成されている。
【００４２】
上記カバー部４は、情報伝達媒体２を外部から覆って保護するために設けられたものであり、情報伝達媒体支持部３に適合する形状に一体成形品で構成されている。また、このカバー部４は、ＩＣタグ２ａからなる情報伝達媒体２に記録された暗号化情報を外部から電磁気的に読み取り可能とする材料として樹脂が採用されている。
【００４３】
さらに、このカバー部４は、情報伝達媒体２と情報伝達媒体２の存在を示す図略の表示とを外部から視覚的、光学的に認識させるようにするために、透明材料で構成され、暗号化情報の読取りに対するカバー部４の表面汚れによる障害を軽減するために、表面に光触媒塗装が施されている。あるいは、フッソ樹脂からなる撥水塗装が施されてもよい。
【００４４】
そして、このカバー部４には、周囲４箇所にねじ孔４ｂが設けられており、このねじ孔４ｂと、情報伝達媒体支持部３の周囲４箇所に設けられたねじ孔３ｄとに取り付けられる図略のねじにより、情報伝達媒体支持部３の外側に固定されるようになっている。また、車止め１０は、ねじを緩めてカバー部４を取り外すことにより情報伝達媒体２を取替えることができるように構成されている。
【００４５】
上記ソーラユニット５は、ＬＥＤからなる夜間標示部６に電力を供給するためのものであり、情報伝達媒体支持部３の保持部３ｂに設けた太陽光発電装置５ａと情報伝達媒体支持部３の内部に設けた充電池５ｂとを有している。そして、昼間の時間帯に太陽光発電装置５ａにより発電を行なうとともに充電池５ｂに電力を貯蔵するよう構成されている。
【００４６】
上記夜間標示部６は、夜間でも情報伝達媒体２の存在を視覚的に示すために情報伝達媒体支持部３の周囲４箇所に設けられた表示手段であり、低電力発光装置としてＬＥＤが採用され、ソーラユニット５により昼間の時間帯に貯蔵した電力を用いて夜間に点灯されるように構成されている。
【００４７】
次に図６〜図８を参照して、本発明の第１の実施の形態に係る車止め１０の作用について説明する。
【００４８】
図６は、第１の実施の形態に係る車止め１０において、情報伝達媒体２から携帯電話８に情報が伝達される手順を示すフロー図である。同図に示すように、本発明の実施の形態に係る車止め１０においては、図示のようにステップＳ１において、携帯電話８から情報伝達媒体２の起動を促す最初の信号が出力され、ステップＳ２において、情報伝達媒体２へこの最初の信号が入力される。
【００４９】
次に、この最初の信号に促されてステップＳ３において、情報伝達媒体２から暗号化情報の情報が出力され、ステップＳ４において、この携帯電話８へこの情報が入力される。
【００５０】
最後に、ステップＳ５において、この情報を携帯電話８のデータ表示部が表示して情報の伝達が終了する。
【００５１】
次に、図７は、第１の実施の形態に係る車止め１０において、緊急通報の際に、携帯電話８から緊急センター９へ住所データの情報が伝達される手順を示すフロー図である。
【００５２】
この場合は、同図に示すように、ステップＳ１１において、携帯電話８から最初の信号が出力され、ステップＳ１２において、情報伝達媒体２へこの最初の信号が入力される。
【００５３】
次に、ステップＳ１３において、情報伝達媒体２から住所データが出力され、ステップＳ１４において、この携帯電話８へ住所データが入力される。
【００５４】
ここで、ステップＳ１５において、携帯電話８から緊急センター９へ緊急連絡が通報されると、ほぼ同時に携帯電話８から緊急センター９へ住所データが出力され、ステップＳ１６において、緊急センター９で通報と、住所データが受信される。そして、最後に、ステップＳ１７において、緊急センター９のデータ表示部が住所データを表示して情報の伝達が終了する。
【００５５】
また、図８は、第１の実施の形態に係る車止め１０において、サーバーコンピュータ１１から携帯電話８へ詳細情報が伝達される手順を示すフロー図である。
【００５６】
この場合は、同図に示すように、ステップＳ２１において、携帯電話８から最初の信号が出力され、ステップＳ２２において、情報伝達媒体２へこの最初の信号が入力される。
【００５７】
次に、ステップＳ２３において、情報伝達媒体２からサーバーコンピュータ１１のアクセスコードが出力され、ステップＳ２４において、この携帯電話８へこのアクセスコードが入力される。
【００５８】
そして、ステップＳ２５において、このアクセスコードに基づいて携帯電話８からサーバーコンピュータ１１へ情報要求の信号が送信され、ステップＳ２６において、サーバーコンピュータ１１がこの情報要求の信号を受信する。
【００５９】
ここで、ステップＳ２７において、サーバーコンピュータ１１がこの情報要求を確認したら、ステップＳ２８において、サーバーコンピュータ１１から詳細な情報が出力され、最後に、ステップＳ２９において、この詳細情報を携帯電話８のデータ表示部が表示して情報の伝達が終了する。
【００６０】
ここで、図９を参照して、本発明の第２の実施の形態に係る車止め２０について説明する。
【００６１】
図９は、第２の実施の形態に係る車止め２０の二次元コード２ｂの構成を示す平面図である。
【００６２】
本発明の第２の実施の形態に係る車止め２０においては、情報伝達媒体２として、ＩＣタグ２ａの代わりに図９に示すような二次元コード２ｂが採用され、この二次元コード２ｂに記録された暗号化情報を、携帯電話８に備えられた撮像装置が光学的に読取ることができるように構成されている。また、ＩＣタグ２ａからなる情報伝達媒体２に記録された暗号化情報は、必要に応じてＩＣライタを用いて内容を書き換えるのに対し、変形例に係る車止め２０の場合は、必要に応じて二次元コード２ｂを取り替えることで、暗号化情報の内容を変更することができるように構成されている。
【００６３】
また、本発明の第１の実施の形態に係る車止め１０においては、図６〜図８に示したフローで情報の伝達が行われるのに対して、本発明の第２の実施の形態に係る車止め２０では、後述するように、図１０〜図１２に示したフローで情報の伝達が行われる。
【００６４】
それ以外の車止め２０の構成は、図１〜図５に示した第１の実施の形態に係る車止め１０と同様であるので、説明を省略する。
【００６５】
次に、図１０〜図１２を参照して、二次元コード２ｂによる変形例に係る車止め２０の作用は、以下の通りである。
【００６６】
図１０は、第２の実施の形態に係る車止め２０において、情報伝達媒体２から携帯電話８に情報が伝達される手順を示すフロー図である。
【００６７】
同図に示すように、本発明の第２の実施の形態に係る車止め２０においては、ステップＳ３１において、携帯電話８に備えられた撮像装置が、二次元コード２ｂに記録された暗号化情報を、光学的に読取って認識することからスタートする。そして最後に、ステップＳ３２において、この情報を携帯電話８のデータ表示部が表示して情報の伝達が終了する。
【００６８】
次に、図１１は、第２の実施の形態に係る車止め２０において、緊急通報の際に、携帯電話８から緊急センター９へ住所データの情報が伝達される手順を示すフロー図である。
【００６９】
この場合も、図示のようにステップＳ４１において、携帯電話８に備えられた撮像装置が、二次元コード２ｂに記録された暗号化情報を、光学的に読取ることからスタートする。ステップＳ１５以下の手順は、図７の第１の実施の形態に係る車止め１０と同じ手順であるので、同一の符号を付し、説明を省略する。
【００７０】
また、図１２は、本発明の第２の実施の形態に係る車止め２０において、サーバーコンピュータ１１から携帯電話８へ詳細情報が伝達される手順を示すフロー図である。
【００７１】
この場合も、図示のようにステップＳ５１において、携帯電話８に備えられた撮像装置が、二次元コード２ｂに記録された暗号化情報を、光学的に読取ることからスタートする。ステップＳ２５以下の手順は、図８の第１の実施の形態に係る車止め１０と同じ手順であるので、同一の符号を付し、説明を省略する。
【００７２】
以上説明したように、本発明の第１、第２の実施の形態に係る車止め１０、２０によれば、車止め１０の支柱１に情報伝達媒体２を支持する情報伝達媒体支持部３が設けられ、情報伝達媒体２に記録された暗号化情報が外部から読取可能に構成されるので、車止め１０が設置された場所に関する案内情報や地図情報など、情報量の多い情報を暗号化して圧縮し、情報伝達媒体２に記録しておけば、この暗号化情報を外部の携帯電話８に設けた電磁波の受発信装置や撮像装置などの読取装置から読み取ることにより、不特定多数の人々にこれらの情報を瞬時に伝達することができるようになる。
【００７３】
また、暗号化情報を外部から読み取ることができるような材料で構成されるカバー部４が、情報伝達媒体２を覆うように設けられているので、天候に左右されずに暗号化情報を読み取ることができる車止め１０とすることができる。
【００７４】
特に本発明の第１の実施の形態に係る車止め１０によれば、ＩＣタグ２ａに暗号化して記録させた案内情報や地図情報など、情報量の多い情報を携帯電話８に備えられた電磁波の受発信装置を用いて電磁気的に読取らせることにより、不特定多数の人々に瞬時にして、これらの情報を伝達することができるようになる。
【００７５】
また、本発明の第２の実施の形態に係る車止め２０によれば、二次元コード２ｂに暗号化して視覚的に記録させた案内情報や地図情報など、情報量の多い情報を携帯電話８に備えられた撮像装置を用いて光学的に読取らせることにより、不特定多数の人々に瞬時にして、これらの情報を伝達することができるようになる。
【００７６】
また、本発明の第１、第２の実施の形態に係る車止め１０、２０によれば、カバー部４が、透明材料からなるので、情報伝達媒体２を風雨から保護するだけでなく、情報伝達媒体２や情報伝達媒体２の存在を示す表示を外部から視覚的、光学的に認識させることができる。
【００７７】
本発明の第１、第２の実施の形態に係る車止め１０、２０によれば、カバー部４の表面に光触媒塗装が施されているので、汚れが分解されるなど、カバー部４の表面の自浄作用がある結果、暗号化情報の読取りに対するカバー部４の表面汚れによる障害を軽減することができる。
【００７８】
本発明の第１、第２の実施の形態に係る車止め１０、２０によれば、カバー部４の表面にフッソ樹脂からなる撥水塗装が施されているので、雨水がカバー部４の表面に付着しにくい結果、暗号化情報の読取りに対するカバー部４の表面汚れによる障害を軽減することができる。
【００７９】
本発明の第１、第２の実施の形態に係る車止め１０、２０によれば、車止め１０に設けられた情報伝達媒体２が、カバー部４を取り外すことにより取替えることができるので、情報伝達媒体２を容易にメンテナンスすることができる結果、車止め１０を長期間にわたって使用することができる。
【００８０】
本発明の第１、第２の実施の形態に係る車止め１０、２０によれば、昼間の時間帯にソーラユニット５の太陽光発電装置５ａにより発電を行なうとともに充電池５ｂに電力を貯蔵して、この貯蔵した電力により夜間に夜間標示部６を点灯することができる。その結果、情報伝達媒体２の存在を示す表示を夜間標示部６としてＬＥＤで構成することにより、夜間でも外部の不特定多数の人々に情報伝達媒体２の存在を示す表示を視覚的に認識させることができるようになる。
【００８１】
本発明の第１、第２の実施の形態に係る車止め１０、２０によれば、携帯電話がアクセスコードに係る暗号化情報を読取ってサーバーコンピュータ１１にアクセスすることにより、情報を取得できるように構成することができる。その結果、不特定多数の人々が携帯電話を介してより詳細な情報を入手することができるようになる。
【００８２】
本発明の第１、第２の実施の形態に係る車止め１０、２０によれば、情報伝達媒体２は、車止め１０が設置された場所の住所データを含む暗号化情報を記録したものであるので、市民が携帯電話を介して緊急センター９へ緊急通報する際に、携帯電話がこの住所データを読み取って緊急センター９に発信することができるように構成することができる。その結果、緊急センター９において事件現場を特定することを敏速に容易に行うことができるようになる。
【００８３】
特に、最近では市民から警察や消防署への緊急通報は携帯電話からのものが増えており、事件現場が特定しにくくなっているので、通報時に簡単に現場の住所を特定することができるようになる利点は大きい。
【００８４】
上述した実施の形態は本発明の好ましい具体例を例示したものに過ぎず、本発明は上述した実施の形態に限定されない。
【００８５】
例えば、支柱１は、必ずしも断面が円形の鋼管を適当な長さに切断したものに限定されない。長手方向が概ね鉛直方向になるように地面７に固定可能なものであれば、種々の設計変更が可能である。
【００８６】
また、情報伝達媒体２に記録される暗号化情報も車止めが設置された場所に関する案内情報と、近隣の地図情報と、車止め１０が設置された場所の住所データとに限定されない。各種サービスやイベントに関する案内などその他さまざまな情報に適用可能である。
【００８７】
また、情報伝達媒体支持部３や、カバー部４の形状、構造は必ずしも図示の形状に限定されない。情報伝達媒体２を支持するためのものであれば、種々の情報伝達媒体支持部３が採用可能であり、情報伝達媒体２を外部から覆って保護するために設けられたものであれば、種々のカバー部４が採用可能である。
【００８８】
その他、本発明の特許請求の範囲内で種々の設計変更が可能であることはいうまでもない。
【図面の簡単な説明】
【００８９】
【図１】本発明の第１、第２の実施の形態に係る車止めの構成を示す説明図であり、（ａ）は、車止めの正面図、（ｂ）は、車止めの側面図をそれぞれ示している。
【図２】第１、第２の実施の形態に係る車止めの上部の構成を示す斜視図である。
【図３】図２の分解斜視図である。
【図４】第１、第２の実施の形態に係る車止めの上部の正面図である。
【図５】第１、第２の実施の形態に係る車止めの上部の側面図である。
【図６】第１の実施の形態に係る車止めにおいて、情報伝達媒体から携帯電話に情報が伝達される手順を示すフロー図である。
【図７】第１の実施の形態に係る車止めにおいて、緊急通報の際に、携帯電話から緊急センターへ住所データの情報が伝達される手順を示すフロー図である。
【図８】第１の実施の形態に係る車止めにおいて、サーバーコンピュータから携帯電話へ詳細情報が伝達される手順を示すフロー図である。
【図９】第２の実施の形態に係る車止めの二次元コードの構成を示す平面図である。
【図１０】第２の実施の形態に係る車止めにおいて、情報伝達媒体から携帯電話に情報が伝達される手順を示すフロー図である。
【図１１】第２の実施の形態に係る車止めにおいて、緊急通報の際に、携帯電話から緊急センターへ住所データの情報が伝達される手順を示すフロー図である。
【図１２】第２の実施の形態に係る車止めにおいて、サーバーコンピュータから携帯電話へ詳細情報が伝達される手順を示すフロー図である。
【符号の説明】
【００９０】
１      支柱
２      情報伝達媒体
２ａ    ＩＣタグ
２ｂ    二次元コード
３      情報伝達媒体支持部
４      カバー部
４ａ    表面
５      ソーラユニット
５ａ    太陽光発電装置
５ｂ    充電池
６      夜間標示部
７      地面
８      携帯電話
１０、２０      車止め
【図１】
2005273194.tif 000003
【図２】
2005273194.tif 000004
【図３】
2005273194.tif 000005
【図４】
2005273194.tif 000006
【図５】
2005273194.tif 000007
【図６】
2005273194.tif 000008
【図７】
2005273194.tif 000009
【図８】
2005273194.tif 000010
【図９】
2005273194.tif 000011
【図１０】
2005273194.tif 000012
【図１１】
2005273194.tif 000013
【図１２】
2005273194.tif 000014